(57)【要約】【課題】光源装置と信号処理装置とを一体にした一体型装置内の小型化と使い勝手の向上を図った内視鏡装置を提供すること。【解決手段】挿入部２０の先端部２１に撮像素子２ａを内蔵した内視鏡２と、照明光を供給するランプ部４１、ライトガイド４３及び撮像素子２ａを駆動する駆動信号の生成、撮像素子２ａから出力される画像信号からビデオ信号を生成する信号処理回路、この信号処理回路及びランプ部４１に電源を供給する電源回路を備えた基板５１、５２、５３を筐体４０ａ内に配設して光源装置及び信号処理装置を一体に構成した一体型装置４と、信号処理回路から出力されるビデオ信号を受けて内視鏡画像を表示する表示装置３とを具備する内視鏡装置１において、一体型装置４を構成するライトガイド固定部４４及びライトガイド４３を基板５１、５２、５３と並列に配置している。【選択図】図３
2004065318.tif 000002
【特許請求の範囲】
【請求項１】
挿入部の先端部に撮像素子を内蔵した内視鏡と、
この内視鏡に観察部位を照明する照明光を供給する光学系部材である光源部、ライトガイド部及び、電気系部材である前記撮像素子を駆動する駆動信号の生成及びこの撮像素子から出力される画像信号からビデオ信号を生成する信号処理回路、この信号処理回路及び前記光源部に電源を供給する電源回路を筐体内に配設して光源装置及び信号処理装置を一体に構成した一体型装置と、
この一体型装置の信号処理回路から出力されるビデオ信号を受けて内視鏡画像を表示する表示装置と、
を具備する内視鏡装置において、
前記一体型装置を構成する前記光学系部材と前記電気系部材とを前記筐体内に配設する際、光学系部材と電気系部材との少なくとも一部を並列に配置したことを特徴とする内視鏡装置。
【発明の詳細な説明】
【０００１】
【発明の属する技術分野】
本発明は、内視鏡に照明光を供給する光源装置と、内視鏡に設けられている撮像素子を駆動する駆動信号及びこの撮像素子から出力される画像信号からビデオ信号を生成する信号処理装置とを１つの筐体内に納めた一体型の装置を有する内視鏡装置に関する。
【０００２】
【従来の技術】
従来より、内視鏡は医療分野及び工業分野で広く利用されている。この内視鏡では、診断或いは検査対象が生体、プラント等の内部であるので、観察対象を照明する光源が必要である。このため、一般的に内視鏡装置では、内視鏡の外部装置として光源装置を用意し、この光源装置で発する照明光を内視鏡に設けたライトガイドに供給し、このライトガイドによって伝送される照明光を内視鏡の挿入部先端の照明窓から出射して内視鏡検査部位を照らすようにしていた。
【０００３】
また、前記内視鏡が挿入部の先端部に撮像素子を配設した電子式の内視鏡の場合、前記照明窓に隣設する観察窓に臨む対物光学系の結像位置に配置されている前記撮像素子の結像面に光学像が結像する。この撮像素子に結像した光学像は、画像信号に光電変換された後、内視鏡の外部装置である信号処理装置に伝送されて映像信号に生成される。そして、この信号処理装置で生成した映像信号を表示装置に出力することにより、画面上に内視鏡画像が表示される。なお、前記信号処理装置では、映像信号を生成する処理に加えて、前記撮像素子を駆動する駆動信号の生成も行っている。
【０００４】
近年では、内視鏡装置の小型化或いは運搬性の向上を図るため、光源装置を構成するランプ部及びライトガイドの一部と、信号処理装置を構成する各種基板等とを１つの筐体内に配設して、つまり、光源装置と信号処理装置とを一体に構成した一体型装置が利用されている。
【０００５】
この一体型装置では、光源装置に設けられている光源ランプ及びライトガイド等の光学系部材と、信号処理装置に設けられている映像信号処理回路を構成する基板や撮像素子を駆動する駆動信号生成回路を構成する基板、これら基板や前記光源ランプに電源を供給するための電源回路を構成する基板等、各種基板からなる電気系部材とを筐体内に別々に配置していた。
【０００６】
具体的には、図１２の一体型装置の筐体内を上方から見た図に示すように、一体型装置１００を構成する筐体１０１内にしきり部１０２を設け、このしきり部１０２によって仕切られた第１内部空間１０３内には光学系部材であるランプ部１０４と、このランプ部１０４のランプ１０５から出射された照明光を内視鏡の先端部まで導くライトガイド１０６の基端部と、このライトガイド１０６の端部が固設されたライトガイド端固定部１０７とが配置されている。
【０００７】
一方、前記しきり部１０２によって仕切られた第２内部空間１１０内には電気系部材である例えば映像信号処理回路を構成する基板１１１や撮像素子を駆動する駆動信号生成回路を構成する基板１１２、前記ランプ１０５等に電源を供給する電源回路を構成する基板１１３等が配置されている。
つまり、筐体１０１内に第１内部空間１０３と第２内部空間１１０とを別個に一列に設け、それぞれの内部空間１０３、１１０内にそれぞれ光学系部材と電気系部材とを配設していた。
【０００８】
【発明が解決しようとする課題】
しかしながら、前記図１２に示した一体型装置においては、更なる小型化や使い勝手の向上が望まれており、そのためには少なくとも、前記光学系部材が構成する長さＬ１と前記電気系部材が構成する長さＬ２とを合わせたＬ長の短縮を図らなければならない。
【０００９】
本発明は上記事情に鑑みてなされたものであり、光源装置と信号処理装置とを一体にした一体型装置内の小型化と使い勝手の向上を図った内視鏡装置を提供することを目的にしている。
【００１０】
【課題を解決するための手段】
本発明の内視鏡装置は、挿入部の先端部に撮像素子を内蔵した内視鏡と、この内視鏡に観察部位を照明する照明光を供給する光学系部材である光源部、ライトガイド部及び、電気系部材である前記撮像素子を駆動する駆動信号の生成及びこの撮像素子から出力される画像信号からビデオ信号を生成する信号処理回路、この信号処理回路及び前記光源部に電源を供給する電源回路を筐体内に配設して光源装置及び信号処理装置を一体に構成した一体型装置と、この一体型装置の信号処理回路から出力されるビデオ信号を受けて内視鏡画像を表示する表示装置とを具備する内視鏡装置であって、
前記一体型装置を構成する前記光学系部材と前記電気系部材とを前記筐体内に配設する際、光学系部材と電気系部材との少なくとも一部を並列に配置している。
【００１１】
この構成によれば、筐体内で光学系部材と電気系部材との少なくとも一部が並設状態になるので、光学系部材と電気系部材とを合わせた長さであるＬ長が短くなる。
【００１２】
【発明の実施の形態】
以下、図面を参照して本発明の実施の形態を説明する。
図１ないし図７は本発明の一実施形態に係り、図１は携帯型内視鏡装置の構成を説明する図、図２は一体型装置の構成を説明するブロック図、図３は一体型装置の上蓋を外した状態で筐体内を上方から見たときの光学系部材と電気系部材との配置位置例を説明する図、図４は図３のＡ−Ａ線断面図、図５は図４のＢ−Ｂ線断面図、図６はライトガイド端固定部を構成する各部を説明する図、図７はライトガイド端固定部の構成を説明する斜視図である。
【００１３】
なお、本実施形態においては、内視鏡装置を携帯型内視鏡装置として説明する。
図１及び図２に示すように本実施形態の携帯型内視鏡装置１は、挿入部２０の先端部２１に撮像素子２ａを内蔵した例えばバッテリ駆動型の工業用内視鏡（以下、内視鏡と略記する）２と、この内視鏡２でとらえた内視鏡画像を表示する例えば液晶モニタ（以下、ＬＣＤと略記する）３と、前記内視鏡２の照明光学系であるライトガイド２ｂへ観察部位を照明する照明光を供給する光源部４ａ、前記撮像素子２ａの駆動及びこの撮像素子２ａで光電変換されて出力された画像信号をビデオ信号に生成して前記ＬＣＤ３にこのビデオ信号を出力する画像処理部４ｂ及び前記ＬＣＤ３、前記光源部４ａ、画像処理部４ｂに電源を供給する乾電池或いは蓄電池等のバッテリ部４ｃを備えた、いわゆる光源装置と信号処理装置とを一体に構成した一体型装置４と、この一体型装置４及び前記内視鏡２を収納する収納ケース５とで主に構成されている。
【００１４】
なお、本実施形態においては、前記ＬＣＤ３を一体型装置４に表示装置配置部材６を介して一体に配設した構成としているが、このＬＣＤ３と一体型装置４とを別体に構成するようにしてもよい。また、符号７は前記一体型装置４を身につける際に使用するベルトであり、予め一体型装置４に取り付けられている。
【００１５】
前記内視鏡２は、細長で可撓性を有する挿入部２０と、この挿入部２０の基端部が一体に連設した操作部２４と、この操作部２４の前記把持部２５の基端部から延出する可撓性を有するユニバーサルコード２６とで構成されている。前記操作部２４は、前記挿入部２０の挿入軸と異なる軸を有する把持部２５を設けて略ｈ字形状に形成されている。
【００１６】
前記ユニバーサルコード２６内には、照明光を供給するライトガイド２ｂや、前記撮像素子２ａの駆動制御信号或いはこの撮像素子２ａで光電変換された画像信号の授受を行う信号ケーブル（不図示）等が内挿している。このユニバーサルコード２６の一端部は前記操作部２４に一体に固定され、他端部は前記一体型装置４に一体に固定されている。そして、前記内視鏡２に設けられている撮像素子２ａと前記一体型装置４に設けられている画像処理部４ｂ及び前記ライトガイドの端面と後述するランプ部との間の調整を行って良好な観察を行えるようにしている。
【００１７】
前記挿入部２０は、先端側から順に先端部２１、図示しない湾曲駒を連設して例えば上下／左右方向に湾曲するように構成した湾曲部２２、柔軟性を有する可撓管部２３とを連接して構成されている。前記先端部２１の先端面には図示は省略しているが、観察窓、照明窓、鉗子導出口、送水や送気用の噴射ノズル等が設けられている。
【００１８】
前記把持部２５の先端側端部には前記湾曲部２２を湾曲動作させる湾曲操作指示レバー（以下、湾曲レバーと略記する）３１が開口部３２から突出して設けられている。前記湾曲レバー３１は、傾倒方向及び傾倒角度を変化させることによって湾曲指示を出力し、図に示すようにこの湾曲レバー３１が直立状態のとき前記湾曲部２２は直線状態になる。
【００１９】
図３に示すように本実施形態の一体型装置４を構成する筐体４０ａの内部には光学系部材であるランプ部４１と、このランプ部４１のランプ４２から出射された照明光を内視鏡２の先端部２１まで導くライトガイド４３及びこのライトガイド４３の端部が固設されたライトガイド端固定部４４と、電気系部材である例えば映像信号処理回路を構成する第１基板５１や撮像素子を駆動する駆動信号生成回路を構成する第２基板５２、この基板５１，５２及び前記ランプ４２等に電源を供給する電源回路を構成する第３基板５３等が配置されている。
【００２０】
本実施形態においては、前記基板５１及び基板５２と、前記基板５３とが例えば仕切り板５５によって区分けされており、この仕切り板５５と前記基板５３との間に形成される空きスペース（図中斜線で示す）に前記ライトガイド端固定部４４及びこのライトガイド端固定部４４から延出するライトガイド４３とを配設している。つまり、基板５１、５２、５３と、ライトガイド端固定部４４及びライトガイド４３とを並設させている。
【００２１】
なお、本実施形態における基板の種類は、第１基板、第２基板、第３基板に限定されるものではなく、各基板の配置位置も図の位置に限定されるものではない。
【００２２】
前記一体型装置４では図３に示すように筐体４０ａを構成する上蓋（不図示）を取り外した状態にすることにより、ライトガイド端固定部４４の上面が露出する。そして、所定の工具を使用して、ネジ７１を進退させることによって、ライトガイド端部のＸ軸方向（図中４のＸ−Ｘ′方向）及びＹ軸方向（図中４のＹ−Ｙ′方向）を移動させ、ネジ７２を進退させることによって、ライトガイド端部のＺ軸方向（一体型装置の長手方向）の配置位置を変化させて、前記ランプ部４１の光軸と前記ライトガイド４３の中心軸との調整及び集光状態の調整を行えるようになっている。
【００２３】
図４ないし図６を参照して前記ライトガイド端固定部４４の具体的な構成を説明する。
図に示すように前記ライトガイド４３の端部を調整可能に固定する前記ライトガイド端固定部４４は、ライトガイド固定ブロック本体（以下、ブロック本体と略記する）４５と、ＸＹ方向調整ブロック（以下、ＸＹブロックと略記する）４６と、Ｚ方向調整ブロック（以下、Ｚブロックと略記する）４７と、前記ＸＹブロック４６を所定の力量で付勢保持する所定の長さ寸法に形成された一対のＸＹバネ６１と、前記Ｚブロック４７を所定の力量で付勢保持する板ばねで形成したＺバネ６２と、前記ＸＹブロック４６を前記ＸＹバネ６１の付勢力に抗して移動させる一対のＸＹ調整用ネジ（以下、ＸＹネジと略記する）７１と、前記Ｚブロック４７を前記Ｚバネ６２の付勢力に抗して移動させるＺ調整用ネジ（以下、Ｚネジと略記する）７２とで主に構成されている。
【００２４】
前記ブロック本体４５は、断面形状が八角形の角柱部材であり、一端面側及び他端面側にはそれぞれ断面形状が所定の径寸法の円形の凹部４５ａ、４５ｂが形成されている。このブロック本体４５の一端面側は、筐体４０ａ内の所定位置に配置された固定板４８に螺合固定される。このブロック本体４５の他端面には前記ＸＹブロック４６の脱落を防止する保持板４９が螺合固定される。前記凹部４５ａ、４５ｂ同士は所定の径寸法の透孔４５ｃによって連通状態になっている。
【００２５】
また、このブロック本体４５の上蓋に対向する面４５ｕには例えば四角形状で前記凹部４５ｂに連通する工具挿通孔４５ｄが形成されている。
さらに、前記工具挿通孔４５ｄが形成されている前記面４５ｕの両側面には前記凹部４５ｂに連通して前記ＸＹネジ７１が螺合する雌ネジを設けた貫通孔であるＸＹ調整孔４５ｅが形成されている。
【００２６】
又、前記ＸＹ調整孔４５ｅに対向する位置には前記凹部４５ｂに連通して前記ＸＹバネ６１が配置される貫通孔であるバネ用透孔４５ｆが形成されている。なお、このバネ用透孔４５ｆの外側開口は板部材５０によって塞がれる。符号５０ａは前記板部材５０を前記ブロック本体４５に一体固定するための固定用ネジである。符号４５ｇは前記保持板４９を固定する固定用ネジ４９ａが螺合する雌ネジ部である。
【００２７】
前記ＸＹブロック４６は、前記凹部４５ｂ内に遊嵌状態で配置される断面形状を例えば八角形に形成して、前記ＸＹネジ７１の先端面が当接する面部と、前記ＸＹバネ６１の一端側が当接する面部とを大きく形成した角柱部材である。このＸＹブロック４６の中央部には前記Ｚブロック４７が所定の嵌め合い寸法で係入配置される貫通孔４６ａが形成されている。
【００２８】
また、このＸＹブロック４６のＸＹネジ７１の先端面が当接する面同士の間に位置する面積を小さく形成して小面部には前記貫通孔４６ａに連通して前記Ｚネジ７２が螺合する雌ネジを設けた貫通孔であるＺ調整孔４６ｂが形成されている。
【００２９】
さらに、このＸＹブロック４６の他端面側（図中前面）には前記Ｚバネ６２を固設するための雌ネジ部４６ｃが設けられており、この雌ネジ部４６ｃに固定用ネジ６２ａを透孔６２ｂを介して螺合することによって前記Ｚバネ６２が所定状態で配設されるようになっている。
【００３０】
前記Ｚブロック４７は円柱形状に形成されており、前記ＸＹブロック４６の貫通孔４６ａに対して摺動自在である。このＺブロック４７の略中心位置には前記ライトガイド４３が挿通する貫通孔としてライトガイド用透孔４７ａが形成されている。
また、前記Ｚブロック４７の側周面所定位置には前記ライトガイド用透孔４７ａに連通してライトガイド固定ネジ７３が螺合する雌ネジを設けた貫通孔であるライトガイド固定孔４７ｂが形成されている。
さらに、前記Ｚブロック４７の側周面所定位置には前記Ｚネジ７２の先端面７２ａが配置される傾斜面４７ｃを有する溝４７ｄが周方向に形成されている。
【００３１】
前記保持板４９には前記Ｚバネ６２との干渉を防止する逃がし溝４９ｂ及び固定用ネジ４９ａが挿通する一対の透孔４９ｃが形成されている。なお、符号７４は前記ＸＹネジ７１に螺合される六角ナットであり、前記ＸＹネジ７１を所定状態で保持させる機能を有している。
【００３２】
前記ブロック本体４５に対して、前記ライトガイド４３、ＸＹブロック４６、Ｚブロック４７、保持板４９、ＸＹバネ６１、Ｚバネ６２、ＸＹネジ７１、Ｚネジ７２、ライトガイド固定ネジ７３、ネジ４９ａ、５０ａ、６２ａ等を所定の順に組み付けていくことによって、図７に示すライトガイド端固定部４４が構成される。なお、前記保持板４９をブロック本体４５に螺合固定することによって、前記ＸＹブロック４６が前記凹部４５ｂ内から脱落することを防止するとともに、前記ＸＹネジ７１の進退に応じて、前記ＸＹブロック４６が凹部４５ｂ内を摺動移動する構成になっている。
【００３３】
そして、このライトガイド端固定部４４では、図に示すようにＺブロック４６を配置したＸＹブロック４６がＸＹバネ６１の付勢力とＸＹネジ７１の押圧力とによって保持されて、ブロック本体４５の凹部４５ｂ内周面に接触することなく、この凹部４５ｂの略中央に配置される。
【００３４】
したがって、一対のＸＹネジ７１を適宜進退移動させて、このＸＹネジ７１の押圧方向又は前記ＸＹバネ６１の付勢方向にＸＹブロック４６を移動させることによって、ランプ部４１の光軸と前記ライトガイド４３の中心軸とのＸ、Ｙ軸方向の調整を行える。また、Ｚネジ７２を適宜進退移動させて、このＺネジ７２の先端面７２ａが傾斜面４７ｃを押圧する方向又は前記Ｚバネ６２の付勢方向にＺブロック４７を移動させることによって、ランプ部４１を構成するリフレクター４１ａの集光位置に前記ライトガイド４３の端面を配置させる調整を行える。これらの調整は、挿入部先端面から出射される照明光の光量を測定しながら行う。
【００３５】
なお、本実施形態においては、上蓋を取り外した状態で所望のネジの螺合状態を変化させてＸ、Ｙ、Ｚ軸方向の調整を行うようにしているが、上蓋の所定の位置に開口部を設けその開口部を介してネジの螺合状態の調整を行うようにしてもよい。また、上蓋ではなく、側板の一部を取り外し可能な構成にしたり、この側板の所定の位置に開口部を設け、その開口部に対してライトガイド端固定部の各ネジを配置させる構成にしてもよい。
【００３６】
このように、電気系部材である第１基板及び第２基板と第３基板との間に、光学系部材であるライトガイド端固定部及びライトガイドを配設して、光学系部材と電気系部材とを並設させて、光源装置と信号処理装置との機能を有する一体型装置を構成したことによって、光学系部材と電気系部材とを合わせて形成させるＬ長を従来に比べて短くすることができる。このことによって、装置本体のＬ長の短縮化を図って装置本体の小型化が可能になるので、身につけて使用する際の取扱い性が大幅に向上するとともに、収納ケース５を小型にして運搬性の向上も図れる。
【００３７】
また、ライトガイドの基端部が配設されるＺブロックをＸＹブロックの軸方向に対して摺動自在に構成するとともに、このＸＹブロックをブロック本体の凹部内にＸ軸及びＹ軸方向に摺動自在に構成したことによって、ランプ部の光軸とライトガイドの中心軸との位置合わせを高精度に行うことができる。このことによって、ランプ部からライトガイドに照明光に効率よく伝達して、ランプの小型化を図って装置本体のＬ長の更なる短縮化及び省電力化を図れる。
【００３８】
なお、本実施形態においては一体型装置を携帯型の内視鏡装置として説明したが、この一体型装置の構成を例えばカート等に載置して使用される内視鏡装置の一体型装置に適用することによって上述と同様の作用及び効果を得られる。
【００３９】
また、筐体４０ａ内に配置する光学系部材と電気系部材との位置関係は、上述した実施形態の構成に限定されるものではなく、図８の光学系部材と電気系部材との他の配置位置例を説明する図に示すように、ライトガイド４３及びライトガイド端固定部４４に加えてランプ部４１をも、例えば筐体４０ｂに設けた第１基板５１ａに並設する構成にしたり、図９の光学系部材と電気系部材との別の配置位置例を説明する図に示すように、筐体４０ｃの一側面側に複数の基板５１ａ、５２ａ、５３を配列させて、これら複数の基板５１ａ、５２ａ、５３に対して前記ライトガイド４３、ライトガイド端固定部４４、ランプ部４１を並設させることにより、上述した作用及び効果に加えて電子部品等を実装する基板の面積を増大させて基板設計の自由度が増す。
【００４０】
さらに、ランプ部とライトガイド端面との位置合わせを高精度に行えるライトガイド端固定部の構成は、上述した実施形態に限定されるものではなく、図１０のライトガイド端固定部の他の構成を説明する図に示すように、一対のＸＹバネ６１の代わりにＸＹ板バネ８１を配設して前記ＸＹブロック４６を付勢保持する構成にしてもよい。このことによって、上述した作用及び効果に加えて部品点数の削減及び工数の削減を図ることができる。なお、前記ＸＹ板バネ８１によって前記ＸＹブロック４６を容易に付勢保持することができるように、ＸＹブロック４６のＸＹ板バネ８１と当接する面部を幅広部８２として形成する。
【００４１】
図１１を参照してライトガイド端固定部の別の構成を説明する。なお、図１１（ａ）はライトガイド端固定部を正面から見たときの図、図１１（ｂ）は図１１（ａ）のＣ−Ｃ線断面図である。
【００４２】
本実施形態のライトガイド端固定部４４Ｂにおいては、ライトガイド端面のＸ軸方向、Ｙ軸方向の調整を、Ｘネジ８５及びＸバネ６１ａとＹネジ８６及びＹバネ６１ｂとでそれぞれ行える構成にしている。つまり、所定方向に対応する軸方向ネジを進退させることによって、ＸＹブロック４６はそれぞれの軸方向ネジに対応する方向に移動するようになっている。
【００４３】
この構成をとるため、図１１（ａ）に示すようにブロック本体４５Ａの外形形状は前記実施形態のブロック本体４５と異なる形状で、このブロック本体４５Ａの凹部４５ｂ内に配設されるＸＹブロック４６の配置位置関係を前記実施形態に対して４５度傾けた状態に設定している。そして、ＸＹブロック４６のＸ軸方向への移動を前記実施形態で説明したＺブロック４７とＺネジ７２と同様な構成になるように、前記ＸＹブロック４６をＸ軸方向に移動させる傾斜面部８７ａを設けた円柱部材８７及びこのＸＹブロック４６をＸ軸方向に付勢するＸバネ６１ａをＸ軸上に形成した透孔内にそれぞれ配設している。
【００４４】
このことによって、Ｙネジ８６の進退移動に伴って、このＹネジ８６の押圧方向又は前記Ｙバネ６１ｂの付勢方向であるＹ軸方向にＸＹブロック４６が移動する。一方、Ｘネジ８５の進退移動に伴って、このＸネジ８５の先端面８５ａが傾斜面部８７ａを押圧する方向又は前記Ｘバネ６１ａの付勢方向であるＸ軸方向にＸＹブロック４７が移動する。したがって、ランプ部４１の光軸と前記ライトガイド４３の中心軸とのＸ、Ｙ軸方向の調整を行える。
【００４５】
なお、本発明は、以上述べた実施形態のみに限定されるものではなく、発明の要旨を逸脱しない範囲で種々変形実施可能である。
【００４６】
［付記］
以上詳述したような本発明の上記実施形態によれば、以下の如き構成を得ることができる。
【００４７】
（１）挿入部の先端部に撮像素子を内蔵した内視鏡と、
この内視鏡に観察部位を照明する照明光を供給する光学系部材である光源部、ライトガイド部及び、電気系部材である前記撮像素子を駆動する駆動信号の生成及びこの撮像素子から出力される画像信号からビデオ信号を生成する信号処理回路、この信号処理回路及び前記光源部に電源を供給する電源回路を筐体内に配設して光源装置及び信号処理装置を一体に構成した一体型装置と、
この一体型装置の信号処理回路から出力されるビデオ信号を受けて内視鏡画像を表示する表示装置と、
を具備する内視鏡装置において、
前記一体型装置を構成する前記光学系部材と前記電気系部材とを前記筐体内に配設する際、光学系部材と電気系部材との少なくとも一部を並列に配置した内視鏡装置。
【００４８】
（２）ランプ部と、このランプ部に基端面が対向するライトガイドの基端部を保持するライトガイド端固定部とを筐体内に配置した光源装置において、
前記ライトガイド端固定部に、筐体の一面側からライトガイドの基端面の位置の調整を行える調整部を設けた光源装置。
【００４９】
（３）前記ライトガイド端固定部は、
前記ライトガイドの基端部が挿通配置される透孔を有し、所定傾斜面の周溝を備えた管状のＺブロックと、
このＺブロックが摺動自在に配置される貫通孔を有し、前記周溝の傾斜面に当接する先端面を形成したネジ部材が配置される調整孔及び前記Ｚブロックを所定方向に付勢する板バネを固定する固定部を有するＸＹブロックと、
このＸＹブロックが所定状態に配置される凹部を有し、前記ＸＹブロックの所定側面に先端面が当接するネジ部材及びバネ部材が所定状態に配置される透孔及び前記調整孔に螺合されたネジ部材に対向する貫通孔を形成したブロック本体と、
前記ＸＹブロックが前記ブロック本体の凹部から脱落することを防止する保持板と、
を具備する付記２記載の光源装置。
【００５０】
【発明の効果】
以上説明したように本発明によれば、光源装置と信号処理装置とを一体にした一体型装置内の小型化と使い勝手の向上を図った内視鏡装置を提供することができる。
【図面の簡単な説明】
【図１】図１ないし図７は本発明の一実施形態に係り、図１は携帯型内視鏡装置の構成を説明する図
【図２】一体型装置の構成を説明するブロック図
【図３】一体型装置の上蓋を外した状態で筐体内を上方から見たときの光学系部材と電気系部材との配置位置例を説明する図
【図４】図３のＡ−Ａ線断面図
【図５】図４のＢ−Ｂ線断面図、
【図６】ライトガイド端固定部を構成する各部を説明する図
【図７】ライトガイド端固定部の構成を説明する斜視図
【図８】光学系部材と電気系部材との他の配置位置例を説明する図
【図９】光学系部材と電気系部材との別の配置位置例を説明する図
【図１０】ライトガイド端固定部の他の構成を説明する図
【図１１】ライトガイド端固定部の別の構成を説明する図
【図１２】従来の一体型装置の上蓋を外した状態で筐体内を上方から見たときの光学系部材と電気系部材との配置位置例を説明する図
【符号の説明】
４…一体型装置
４０ａ…筐体
４１…ランプ部
４３…ライトガイド
４４…ライトガイド固定部
５１，５２，５３…基板
【図１】
2004065318.tif 000003
【図２】
2004065318.tif 000004
【図３】
2004065318.tif 000005
【図４】
2004065318.tif 000006
【図５】
2004065318.tif 000007
【図６】
2004065318.tif 000008
【図７】
2004065318.tif 000009
【図８】
2004065318.tif 000010
【図９】
2004065318.tif 000011
【図１０】
2004065318.tif 000012
【図１１】
2004065318.tif 000013
【図１２】
2004065318.tif 000014